(57)【要約】アップリンク伝送を低減する様々な方法が提供される。ある例示的方法は、ユーザ装置をアップリンク同期状態で動作させることであって、アップデートがオン期間中に周期的に受信され、オン期間は、不連続受信（ＤＲＸ）短周期タイマーに関連する、前記動作させることと；ＤＲＸ短周期タイマーに関連する１つ又は複数のオン期間中にアップリンク伝送を無効にする命令を受信することと；命令に従ってアップリンク伝送を無効にすることを含む。【選択図】図１
2016521031.tif 000002
【特許請求の範囲】
【請求項１】
ユーザ装置をアップリンク同期状態で動作させることであって、アップデートがオン期間中に周期的に受信され、前記オン期間は、不連続受信（ＤＲＸ）短周期タイマーに関連する、前記動作させることと；
前記ＤＲＸ短周期タイマーに関連する１つ又は複数のオン期間中にアップリンク伝送を無効にする命令を受信することと；
前記命令に従ってアップリンク伝送を無効にすることと；
を含む、方法。
【請求項２】
前記命令は、アップリンク（ＵＬ）が有効化又は無効化される物理アップリンク制御チャネル（ＰＵＣＣＨ）を設定する無線リソース制御（ＲＲＣ）メッセージを含んでもよい、請求項１に記載の方法。
【請求項３】
前記命令は、ＵＬ通信の有効／無効又は低減の許可／不許可に関する情報を含む媒体アクセス制御（ＭＡＣ）命令を含んでもよい、請求項１に記載の方法。
【請求項４】
前記命令は、ＵＬ通信の有効／無効又は低減の許可／不許可に関する情報を含むトリガー命令を含んでもよい、請求項１に記載の方法。
【請求項５】
前記命令は、時間制限方式でＵＬ伝送を有効又は無効にすることを含んでもよい、請求項１から４の何れかに記載の方法。
【請求項６】
タイマー値が設定されなくてはならない、請求項１から５の何れかに記載の方法。
【請求項７】
タイマー値又は時間が固定であり、仕様で規定することができる、請求項１から６の何れかに記載の方法。
【請求項８】
少なくとも１つのプロセッサと、コンピュータプログラムコードを含む少なくとも１つのメモリとを備える装置であって、前記少なくとも１つのメモリ及び前記コンピュータプログラムコードは、前記プロセッサを用いて、前記装置に少なくとも：
ユーザ装置をアップリンク同期状態で動作させることであって、アップデートがオン期間中に周期的に受信され、前記オン期間は、不連続受信（ＤＲＸ）短周期タイマーに関連する、前記動作させることと；
前記ＤＲＸ短周期タイマーに関連する１つ又は複数のオン期間中にアップリンク伝送を無効にする命令を受信することと；
前記命令に従ってアップリンク伝送を無効にすることと；
を実行させるように構成される、装置。
【請求項９】
前記命令は、アップリンク（ＵＬ）が有効化又は無効化される物理アップリンク制御チャネル（ＰＵＣＣＨ）を設定する無線リソース制御（ＲＲＣ）メッセージを含んでもよい、請求項８に記載の装置。
【請求項１０】
前記命令は、ＵＬ通信の有効／無効又は低減の許可／不許可に関する情報を含む媒体アクセス制御（ＭＡＣ）命令を含んでもよい、請求項８に記載の装置。
【請求項１１】
前記命令は、ＵＬ通信の有効／無効又は低減の許可／不許可に関する情報を含むトリガー命令を含んでもよい、請求項８に記載の装置。
【請求項１２】
前記命令は、時間制限方式でＵＬ伝送を有効又は無効にすることを含んでもよい、請求項８から１１の何れかに記載の装置。
【請求項１３】
タイマー値が設定されなくてはならない、請求項８から１２の何れかに記載の装置。
【請求項１４】
タイマー値又は時間が固定であり、仕様で規定することができる、請求項８から１３の何れかに記載の装置。
【請求項１５】
コンピュータ実行可能コード部分を格納する少なくとも１つの非一時的コンピュータ可読記憶媒体を含むコンピュータプログラムであって、前記コンピュータ実行可能コード部分は、
ユーザ装置をアップリンク同期状態で動作させることであって、アップデートがオン期間中に周期的に受信され、前記オン期間は、不連続受信（ＤＲＸ）短周期タイマーに関連する、前記動作させることと；
前記ＤＲＸ短周期タイマーに関連する１つ又は複数のオン期間中にアップリンク伝送を無効にする命令を受信することと；
前記命令に従ってアップリンク伝送を無効にすること
を行うプログラムコード命令を含む、コンピュータプログラム。
【請求項１６】
前記命令は、アップリンク（ＵＬ）が有効化又は無効化される物理アップリンク制御チャネル（ＰＵＣＣＨ）を設定する無線リソース制御（ＲＲＣ）メッセージを含んでもよい、請求項１５に記載のコンピュータプログラム。
【請求項１７】
前記命令は、ＵＬ通信の有効／無効又は低減の許可／不許可に関する情報を含む媒体アクセス制御（ＭＡＣ）命令を含んでもよい、請求項１５に記載のコンピュータプログラム。
【請求項１８】
前記命令は、ＵＬ通信の有効／無効又は低減の許可／不許可に関する情報を含むトリガー命令を含んでもよい、請求項１５に記載のコンピュータプログラム。
【請求項１９】
前記命令は、時間制限方式でＵＬ伝送を有効又は無効にすることを含んでもよい、請求項１５から１８の何れかに記載のコンピュータプログラム。
【請求項２０】
タイマー値が設定されなくてはならない、請求項１５から１９の何れかに記載のコンピュータプログラム。
【請求項２１】
タイマー値又は時間が固定であり、仕様で規定することができる、請求項１５から２０の何れかに記載のコンピュータプログラム。
【発明の詳細な説明】
【技術分野】
【０００１】
本発明の実施形態は、概して、アップリンク伝送の低減を容易にする方法、装置、及びコンピュータプログラムに関する。
【背景】
【０００２】
無線通信は、継続的なユーザ数の増加によって、取得され使用される携帯通信デバイスの数が益々増加していることから、更に拡大している。この携帯デバイスの台数の増加に伴い、携帯デバイスの使用時間も延びている。こうした状況により、携帯デバイスが充電又は電源供給されてから次の充電／電源供給までに使用可能な時間に関する要求も益々増えている。
【０００３】
携帯通信デバイスに搭載される機能が増えるにつれて、より長い使用可能時間を求める要求も益々顕在化している。例えば、現在の多くの携帯通信デバイスには、通信機能に加えて個人情報管理機能（Personal Information Management、PIM）やカメラ、音楽プレーヤー（MP3等）、ゲーム機能が備わっている。それ故、こうしたデバイスは、ユーザがデバイスの通信機能を使用していないときでも利用される可能性がある。こうした追加機能によって、携帯デバイスのパワーリザーブ（power reserve）に関するさらなる要求も出されることになる。
【０００４】
現在、携帯デバイスを節電してその結果使用時間を延長する最も効果的な方法の一つは、省電力モードを有効にすることである。省電力モードはデバイスの画面をオフにし、それに伴いウェブアプリケーションの動作も変更するものである。この方法による問題は、携帯デバイスの効力も減らしてしまうことである。例えば、スマートフォンは通常、「常時オン」型の接続を要するアプリケーションを備えており、こうしたアプリケーションは、ユーザが端末とアプリケーションを積極的に使用していない間でも通信トラフィックを生じさせている。このような場合、節電のためには、ユーザ装置（ＵＥ）に不連続受信（Discontinuous Reception、ＤＲＸ）機能を設定するか、データ伝送の合間に接続を開放することが望ましい。ＤＲＸ設定と接続開放の決定はアクセスネットワーク側によって行われてもよい。
【０００５】
接続モードＤＲＸは、ダウンリンク（ＤＬ）受信に関するＵＥ側のアクティビティを最小化する効果的な低減手段を提供でき、アップリンク（ＵＬ）アクティビティにも拡張することができる。しかし、ＵＥのＵＬ伝送は、非アクティブモード時、例えばバックグラウンドトラフィックしかないときにおいて、ＵＥの全消費電力の大部分を占める。ＵＥが可能性のある追加データ伝送に対して待機／準備するために、短期ＤＲＸが設定されていた場合、ＵＥは、オン期間を含む短期ＤＲＸ期間中、ＵＬタイミングが有効であって（ＴＡＴが過ぎていなくて）ＴＡＴが過ぎるか接続が開放されるまでの間、ＵＬチャネル品質標示子（channel quality indicator、ＣＱＩ）情報、又はプレコーディングマトリクス標示子（pre-coding matrix indicator、ＰＭＩ）情報を送信する可能性がある。これはＵＥの電力を無駄に消費し、その結果、端末の待機時間を縮めてしまうことになる。加えて、ＵＬの干渉も増やすことになる。
【０００６】
ここで概説した問題は一般的であるが、ＵＥがバックグラウンドモードであるこうした状況では特に重要なものである。常時オンラインでバックグラウンドモードにあるスマートデバイスは今後益々増えると予測されており、こうしたＵＥが連続的な少量データパケットの伝送を高頻度で発生させることが想定される。この種のモードでは、前述の問題は、例えばＵＥの電力消費に関して一層大きな影響を与えることになる。
【０００７】
したがって、デバイスの電力消費を減らしつつデバイスの機能を維持するような、携帯通信デバイスの電力管理方法が求められている。
【摘要】
【０００８】
本発明の例示的実施形態に従って、アップリンク伝送を低減する方法、装置及びコンピュータプログラムが提供される。例示的方法は、ＵＬのシグナリングが不要であるときに、この周期的なＵＬシグナリングを減らすことによってＵＥが節電する機会を増やすことができる。これは、例えば、ネットワーク及び／又はＵＥが小さいパケットを送信している場合が該当する。
【０００９】
本発明のある実施形態に従って、次の方法、即ち、ユーザ装置をアップリンク同期状態で動作させることであって、アップデートがオン期間中に周期的に受信され、オン期間は、不連続受信（ＤＲＸ）短周期タイマーに関連する、前記動作させることと；ＤＲＸ短周期タイマーに関連する１つ又は複数のオン期間中にアップリンク伝送を無効にする命令を受信することと；命令に従ってアップリンク伝送を無効にすることを含む方法が、提供されてもよい。
【００１０】
ある実施形態では、前記命令は、アップリンク（ＵＬ）が有効化又は無効化される物理アップリンク制御チャネル（ＰＵＣＣＨ）を設定する無線リソース制御（ＲＲＣ）メッセージを含んでもよい。別の実施形態では、前記命令は、ＵＬ通信の有効／無効又は低減の許可／不許可に関する情報を含む媒体アクセス制御（ＭＡＣ）命令を含んでもよい。別の実施形態では、前記命令は、ＵＬ通信の有効／無効又は低減の許可／不許可に関する情報を含むトリガー命令を含んでもよい。実施形態によっては、前記命令は、時間制限方式でＵＬ伝送を有効又は無効にすることを含んでもよい。実施形態によっては、タイマー値が設定されなくてはならない。別の実施形態では、タイマー値又は時間が固定であり、仕様で規定することもできる。
【００１１】
本発明の別の例示的な実施形態に従って、装置が提供されてもよい。前記装置は、少なくとも１つのプロセッサと、コンピュータプログラムコードを含む少なくとも１つのメモリを備え、前記少なくとも１つのメモリ及びコンピュータプログラムコードは、前記プロセッサで前記装置に少なくとも、ユーザ装置をアップリンク同期状態で動作させることであって、アップデートがオン期間中に周期的に受信され、オン期間は、不連続受信（ＤＲＸ）短周期タイマーに関連する、前記動作させることと；ＤＲＸ短周期タイマーに関連する１つ又は複数のオン期間中にアップリンク伝送を無効にする命令を受信することと；命令に従ってアップリンク伝送を無効にすることを実行させるように構成されてもよい。
【００１２】
ある実施形態では、前記命令は、アップリンク（ＵＬ）が有効化又は無効化される物理アップリンク制御チャネル（ＰＵＣＣＨ）を設定する無線リソース制御（ＲＲＣ）メッセージを含んでもよい。別の実施形態では、前記命令は、ＵＬ通信の有効／無効又は低減の許可／不許可に関する情報を含む媒体アクセス制御（ＭＡＣ）命令を含んでもよい。別の実施形態では、前記命令は、ＵＬ通信の有効／無効又は低減の許可／不許可に関する情報を含むトリガー命令を含んでもよい。実施形態によっては、前記命令は、時間制限方式でＵＬ伝送を有効又は無効にすることを含んでもよい。実施形態によっては、タイマー値が設定されなくてはならない。別の実施形態では、タイマー値又は時間が固定であり、仕様で規定することもできる。
【００１３】
本発明の別の例示的な実施形態に従って、コンピュータプログラムが提供されてもよい。前記コンピュータプログラムは、前記コンピュータ実行可能プログラムコード部分は、ユーザ装置をアップリンク同期状態で動作させることであって、アップデートがオン期間中に周期的に受信され、オン期間は、不連続受信（ＤＲＸ）短周期タイマーに関連する、前記動作させることと；ＤＲＸ短周期タイマーに関連する１つ又は複数のオン期間中にアップリンク伝送を無効にする命令を受信することと；命令に従ってアップリンク伝送を無効にすることを行うプログラムコード命令を含んでもよい。
【００１４】
ある実施形態では、前記命令は、アップリンク（ＵＬ）が有効化又は無効化される物理アップリンク制御チャネル（ＰＵＣＣＨ）を設定する無線リソース制御（ＲＲＣ）メッセージを含んでもよい。別の実施形態では、前記命令は、ＵＬ通信の有効／無効又は低減の許可／不許可に関する情報を含む媒体アクセス制御（ＭＡＣ）命令を含んでもよい。別の実施形態では、前記命令は、ＵＬ通信の有効／無効又は低減の許可／不許可に関する情報を含むトリガー命令を含んでもよい。実施形態によっては、前記命令は、時間制限方式でＵＬ伝送を有効又は無効にすることを含んでもよい。実施形態によっては、タイマー値が設定されなくてはならない。別の実施形態では、タイマー値又は時間が固定であり、仕様で規定することもできる。
【図面の簡単な説明】
【００１５】
本発明の実施形態を一般的に説明してきたが、ここで添付の図面を参照する。なお図面のスケールは正確であるとは限らない。
【図１】本発明の例示的実施形態に従って具体的に構成され得るシステムのブロック図である。
【図２】本発明の例示的実施形態に従って具体的に構成され得る装置のブロック図である。
【図３】本発明のある実施形態に従う例示的装置を動作させる方法を示す例示的フローチャートである。
【図４】本発明のある実施形態に従う例示的装置を動作させる方法を示す例示的フローチャートである。
【図５Ａ−５Ｂ】本発明のある実施形態に従う例示的タイミング図を示す。
【詳細説明】
【００１６】
以下、添付図面を参照して幾つかの例示的実施形態をより詳細に説明する。なお全ての実施形態が示されているわけではない。実際、例示的実施形態は種々の形態をとることができ、ここで紹介される実施形態に限定されると考えてはならない。むしろこうした実施形態は、本明細書が法的な要件を充足するために紹介されるものである。本明細書及び図面を通じて同様の符号は同様の要素を表す。幾つかの例示的実施形態において、「データ」や「コンテンツ」、「情報」のような用語は、送信されたり受信されたりすることが可能なデータや、影響を与えたり格納されたりすることが可能なデータを言い表すために、互いに置き換え可能に使用されることが可能でありうる。さらに、本明細書で使用される「例示（exemplary）」という用語は、何らかの定性的評価を表すものでなく、単に例であることを示すに過ぎない。このため、このような用語が本発明の実施形態の範囲や技術思想を制限するものと考えてはならない。
【００１７】
本願において、「回路（circuitry）」との語句は、次の全てを表す：（ａ）ハードウェアのみの回路実装（アナログ及び／又はデジタル回路のみの実装等）；（ｂ）回路とソフトウェア（及び／又はファームウェア）の組合せ、例えば（適用可能である場合）：（ｉ）１つ又は複数のプロセッサや、（ｉｉ）１つ又は複数のプロセッサ／ソフトウェアの部分の組み合わせ。これには、１つ又は複数のＤＳＰやソフトウェア、又これらと協働して携帯電話やサーバなどの装置に様々な機能を実行させる１つ又は複数のメモリが含まれる。（ｃ）１つ又は複数のマイクロプロセッサや１つ又は複数のマイクロプロセッサの部分のような回路。このような回路は動作のためにソフトウェアやファームウェアを（たとえそれらが物理的には存在しないものと考えられる場合であっても）必要とする。
【００１８】
この「回路」の定義は、本願において当該用語を使う全ての場合において適用される。特許請求の範囲においても同様である。さらなる例として、本願で使用される場合、「回路（circuitry）」という用語は、単独（又は複数）のプロセッサだけの実装やプロセッサの一部，付随するソフトウェア及び／又はファームウェアによる実装も網羅するものである。「回路」という用語はまた、例えば、特許請求の範囲に記載される特定の要素をその範囲に含むことが可能な場合がある。例えば、携帯電話のベースバンド集積回路や特定用途向け集積回路を意味してもよく、サーバやセルラネットワークデバイス、その他のネットワークデバイスにおける同様の集積回路を意味してもよい。
【００１９】
まず、図１を参照すると、無線又は有線の何れかによる、コンピューティングデバイス１０とサーバ１２又は他のネットワーク要素（以下、一般的に「サーバ」と呼ぶ）との間の通信をサポートするシステムが示されている。図のように、コンピューティングデバイスとサーバはネットワーク１４を通じて通信していてもよい。こうしたネットワークには、携帯ネットワーク等のワイドエリアネットワークやインターネット、ローカルエリアネットワーク等がある。ただし、コンピューティングデバイスとサーバは、両者間が直接通信する等、他の方式で通信していてもよい。
【００２０】
コンピューティングデバイス１０は様々なデバイスによって具現化されてもよい。こうしたデバイスには、携帯コンピューティングデバイス及び他のタイプの音声・テキスト通信システムが含まれる。携帯コンピューティングデバイスには、例えば携帯情報端末（ＰＤＡ）や携帯電話、スマートフォン、ラップトップコンピュータ、タブレットコンピュータ、又はこれらの組合せ等がある。あるいは、コンピューティングデバイスは、パーソナルコンピュータやコンピュータワークステーション等のような据置型コンピューティングデバイスでもよい。サーバ１２もまた、コンピューティングデバイスによって具現化され、実施形態によっては、ウェブサーバによって具現化されてもよい。加えて、図１のシステムでは単一のサーバを描いているが、このサーバは複数のサーバで構成され、複数のサーバはコンピューティングデバイスによって行われる閲覧アクティビティをサポートするために協働してもよい。
【００２１】
コンピューティングデバイス１０を具現化するデバイスの種類に拘わらず、コンピューティングデバイスは、図２に示すような装置２０を含んでもよく、関連付けられてもよい。これに関して、装置は、プロセッサ２２やメモリデバイス２４、通信インタフェース２６ 、ユーザインタフェース２８を具備するものでもよく、これらの要素と通信するものでもよい。それ故、本出願のデバイスや要素は相互通信するように示されているが、実施形態によっては、こうしたデバイスや要素が同一のデバイス又は要素に実装可能であると見做すべきである。したがって、相互通信するように示されるデバイスや要素は、同一のデバイス又は要素の一部として代替されうるものと理解すべきである。
【００２２】
実施形態によっては、プロセッサ２２（及び／又は、コプロセッサや、プロセッサをアシストする、あるいは関連する他の処理回路）は、装置のコンポーネント間で情報をやり取りするバスを通じてメモリデバイス２４と通信してもよい。メモリデバイスには、例えば１つ又は複数の一時的メモリ及び／又は非一時的メモリが含まれてもよい。換言すれば、メモリデバイスは、ゲートを具備する電子記憶媒体（例えば、コンピュータ可読記憶媒体）でもよい。ゲートは、機械（例えば、コンピューティングデバイス等）によって呼び出され得るデータ（例えば、ビット）を格納するように構成される。本発明の例示的実施形態に従う様々な機能を装置２０が実行することを可能にするべく、メモリデバイスは、情報やデータ、コンテンツ、アプリケーション、命令等を格納するように構成されてもよい。例えば、メモリデバイスは、プロセッサが処理する入力データをバッファするように構成することもできる。あるいは又は加えて、メモリデバイスは、プロセッサによって実行される命令を格納するように構成することもできる。
【００２３】
前述の通り、装置２０は、本発明の例示的実施形態を採用するように構成されるコンピューティングデバイス１０によって具現化されてもよい。しかし実施形態によっては、装置は、チップ又はチップセットとして具現化されてもよい。換言すれば、装置は、構造組立部品（例えば、基板）に素材や部品、及び／又は配線を含む、１つ又は複数の物理的パッケージ（例えば、チップ）を備えてもよい。構造組立部品は物理的強度を与えたりサイズを維持したりしてもよく、又、要素回路の電気的な相互作用を抑える役割を果たしてもよい。したがって、装置は場合によっては、単一のチップや単一のシステム・オン・チップ（ＳｏＣ）上に、本発明の実施形態を実装するように構成されてもよい。このように場合によっては、チップ又はチップセットは本明細書に記載される機能を提供する１つ又は複数の処理を実行する手段を構成してもよい。
【００２４】
プロセッサ２２は様々な方法で具現化されてもよい。例えばプロセッサは、１つ又は複数の様々な処理手段として具現化されてもよい。そのような処理手段には例えば、コプロセッサやマイクロプロセッサ，コントローラー，デジタルシグナルプロセッサ（ＤＳＰ），ＤＰＳ搭載型又は非搭載型の処理要素，その他様々な処理回路が含まれる。また、そのような処理回路には、例えば、ＡＳＩＣ（特定用途向け集積回路）やＦＰＧＡ（フィールドプログラマブルゲートアレイ），マイクロコントローラーユニット（ＭＣＵ），ハードウェアアクセラレータ，特定用途向けコンピュータチップ等が存在する。それ故、実施形態によっては、プロセッサは独立して動作するように構成される１つ又は複数の処理コアを備えてもよい。マルチコアプロセッサによって単一の物理的パッケージで複数の処理が実行可能になる。あるいは又は加えて、プロセッサは、独立での命令実行や、パイプライン処理、及び／又はマルチスレッド処理を可能にするために、バスを介して直列構成された１つ又は複数のプロセッサを備えてもよい。
【００２５】
ある例示的実施形態において、プロセッサ２２は、メモリデバイス２４に格納された命令を実行するように構成されてもよく、あるいは、自身がアクセス可能な命令を実行するように構成されてもよい。あるいは又は加えて、プロセッサは、ハードコードされた機能を実行するように構成されてもよい。このように、構成方法がハードウェアによるか、ソフトウェアによるか、あるいはそれらの組合せによるかに関わらず、プロセッサとは、このように構成されながら本発明の実施形態に従う処理を実行する能力を有する（例えば、回路において物理的に具現化された）要素を表してもよい。こうして、プロセッサがＡＳＩＣやＦＰＧＡ等として実装される場合には、プロセッサは本願で記述する動作を実施するように特化して構成されたハードウェアであってもよい。あるいは、別の実施例としてプロセッサがソフトウェア命令を実行する実行機器として具現化される場合、こうした命令は、実行されると、本明細書に記載されるアルゴリズム及び／又は処理を実行するようにプロセッサを具体的に構成してもよい。ただし、場合によっては、プロセッサは、特定の装置（例えば、ヘッドマウント型ディスプレイ）のプロセッサであって、本明細書に記載されるアルゴリズム及び／又は処理を実行する命令によってプロセッサを更に構成することで、本発明の実施形態を取り入れるように構成されるものでもよい。プロセッサはとりわけ、その動作をサポートするクロックや算術演算ユニット（ＡＬＵ）、ロジックゲートを備える。実施形態によっては、プロセッサは、ユーザインタフェース２８の１つ又は複数の要素に関する少なくとも一部の機能を制御するように構成される、ユーザインタフェース回路を備えていてもよい。
【００２６】
それと同時に、通信インタフェース２６は、コンピューティングデバイス１０とサーバ１２との間でデータを送受信するように構成されたデバイスや回路のような、如何なる手段であってもよい。こうした手段は、ハードウェアやハードウェアとソフトウェアの組合せなどとして具現化される。これに関して、通信インタフェース２６には、例えば、１つ（又は複数）のアンテナと、無線通信を可能にするサポートハードウェア及び／又はソフトウェアが具備されていてもよい。あるいは又は加えて、通信インタフェースは、アンテナ（又は複数のアンテナ）とやり取りして、アンテナ（又は複数のアンテナ）を介して信号を送信したり、アンテナ（又は複数のアンテナ）を介して受信される信号を処理したりする回路を備えていてもよい。例えば、通信インタフェースは、ＷｉＦｉやブルートゥース、又は他の無線通信技術で、ヘッドマウント型ディスプレイ１０と無線通信するように構成されてもよい。場合によっては、通信インタフェースは有線通信をサポートしてもよい。それ故、通信インタフェースは例えば、ケーブルＴＶやデジタル加入者線（ＤＳＬ），ＵＳＢ（ユニバーサル・シリアル・バス），その他の機構をサポートする通信モデム及び／又はその他のハードウェア／ソフトウェアを備えていてもよい。例えば、通信インタフェースは、無線通信でコンピューティングデバイスの他のコンポーネントと通信するように構成されてもよい。
【００２７】
ユーザインタフェース２８は、ユーザ入力を示す情報を受け取ったり、聴覚的、視覚的、機械的又はその他の出力をユーザに提供したりするために、ユーザインタフェース回路のようなプロセッサと通信していてもよい。ユーザインタフェースは、例えば、キーボードやマウス、ジョイスティック、ディスプレイ、タッチスクリーンディスプレイ、マイクロフォン、スピーカー、その他の入力又は出力機構の何れか１つ又は複数を有していてもよい。実施形態によっては、ディスプレイは、スクリーンや壁上のディスプレイや、眼鏡のディスプレイ（例えば、ニアアイディスプレイ）、空中ディスプレイ等を言及してもよい。ユーザインタフェースは、バス等を通じてメモリ２４及び／又は通信インタフェース２６と通信していてもよい。
【００２８】
図３及び４は、本発明のある実施形態に従う方法と装置、コンピュータプログラムによって実行される例示的動作の例示的フローチャートを示している。フローチャートの個々のブロック及びフローチャートのブロックの組合せは様々な手段によって実施されることに留意されたい。そのような手段には、例えばハードウェアやファームウェア、プロセッサ、回路、及び／又はソフトウェアの実行に関連付けられるデバイスが含まれる。また当該ソフトウェアは１つ又は複数のコンピュータプログラム命令を含む。例えば、上述の１つ又は複数の処理は、コンピュータプログラム命令によって具現化されてもよい。これに関して、本明細書で説明された処理を具現化するコンピュータプログラム命令は、装置のメモリ２６に格納され、装置のプロセッサ２４により実行されてもよい。そのような装置は本発明の実施形態を採用するものである。当然のことながら、こうしたコンピュータプログラム命令は、コンピュータや他のプログラム可能な装置（例えばハードウェア）にロードされて機械を構成する。すなわち、命令がロードされたコンピュータ又はプログラム可能な装置は、フローチャートの（１つ又は複数の）ブロックにより特定される機能を実装するための手段を具現化する。これらのコンピュータプログラム命令はコンピュータ読み取り可能な非一時的記憶メモリに格納されてもよく、固有の方法でコンピュータ又はその他のプログラム可能な装置を機能させるべく命令してもよい。すなわち、コンピュータ読み取り可能な記憶メモリに格納される命令は、実行されることにより、１つ又は複数のフローチャートのブロックにより特定される機能を実装する製品を形成する。コンピュータプログラム命令はコンピュータ又はその他のプログラム可能な装置にロードされ、一連の動作を前記コンピュータ又はその他のプログラム可能な装置で実行させることにより、コンピュータ実装プロセスを生成する。すなわち、コンピュータ又はその他のプログラム可能な装置で命令が実行されることにより、フローチャートブロックの１つ又は複数で特定される機能を実装するための動作を提供する。図３及び４の処理は、実行されると、コンピュータ又は処理回路を、本発明の例示的実施形態を実行するように構成される機械へと変える。従って、図３及び４の処理は、例示的実施形態を遂行するようにコンピュータ又は処理回路を構成するアルゴリズムを規定するものである。場合によっては、図３及び４のアルゴリズムを実行するプロセッサの一例として、汎用コンピュータが用いられることがある。それによって汎用コンピュータは、例示的実施形態を遂行するように構成される機械に変えられる。
【００２９】
したがって、フローチャートのブロックは、特定された機能を実行する手段の組合せと特定された機能を実行する動作の組合せをサポートする。また、フローチャートの１つ又は複数のブロック、及びフローチャートの複数のブロックの組合せは、特定の機能を実行する特定目的のハードウェアベースのコンピュータシステムや、特定目的のハードウェアとコンピュータ命令との組合せによって実装されてもよいことも理解されたい。
【００３０】
実施形態によっては、本明細書の処理の何れかは変形される場合があり、また後述のように強化される場合がある。さらに、実施形態によっては、更なる処理が加えられる場合もある。これらの変形や追加オプション、後述の強化等の各々は、単独で上述の処理に含められてもよいし、又、本明細書で言及される他の特徴と組み合わせて、上述の処理に含められてもよい。
【００３１】
例示的実施形態によっては、ＵＬ伝送（例えば、チャネル品質標示子（ＣＱＩ）やプレコーディングマトリクス標示子（ＰＭＩ）、ランク標示子（ＲＩ）、プロシージャトランザクション標示子（ＰＴＩ））がＰＵＣＣＨで報告する、及び／又は、トリガタイプ０でトリガーされたサウンディング参照信号（ＳＲＳ）伝送がＤＲＸ中に停止されるが、短期ＤＲＸサイクルタイマーは動いているように、方法と装置、コンピュータプログラムが構成される。これは、ＤＲＸオン期間中に行われてもよい。すなわち、短期ＤＲＸタイマーに関連するオン期間にあるときにはＵＬ伝送は行われない。ＰＵＣＣＨを使用するための追加設定には次の事項が含まれてもよい：（１）「短期ＤＲＸサイクル」が実行されているオン期間に関連するＵＬ伝送の無効化／有効化；（２）「短期ＤＲＸサイクル」が実行されているオン期間に関連するＵＬ伝送をデフォルトで無効にするが、個別の設定又は命令でＵＬ伝送を有効にすること。例示的方法は、次の方法、すなわち、ＵＬのシグナリングが不要であるときに、この周期的なＵＬシグナリングを減らすことによってＵＥが節電する機会を増やすという方法を、ネットワークに提供してもよい。これは、例えば、ネットワーク及び／又はＵＥが小さいパケットを送信している場合が該当する。
【００３２】
図３は、本発明のある実施形態に従ってＵＬ伝送の低減又は最小化を行う方法を示す例示的フローチャートである。図３のブロック３０２に示す通り、コンピューティングデバイス１０によって具現化された装置２０は、ＵＥをＵＬ同期状態で動作させるように構成されてもよい。それ故、コンピューティングデバイスによって具現化された装置は、ＵＥをＵＬ同期状態で動作させるために、プロセッサ２２や通信インタフェース２６等の手段を備えてもよい。図５Ａは同期状態で動作するＵＥを示しており、ＵＥはタイミングアドバンス（ＴＡ）アップデート５０２を受信する。それ故、同期状態での動作は、ＵＥにオン期間中（例えば、長期ＤＲＸ５０４）周期的にデータ（例えば、ＴＡアップデート）を受信させてもよい。ＴＡアップデートは、短期ＤＲＸ５０６とそれに続くオン期間をトリガーし、そこでＵＥ側からの更なるＵＬアクティビティ５０８をトリガーしてもよい。
【００３３】
図３のブロック３０４に示す通り、コンピューティングデバイス１０によって具現化された装置２０は、ＵＬ伝送の有効又は無効を示す物理アップリンク制御チャネル（ＰＵＣＣＨ）を構成するために、無線リソース制御（ＲＲＣ）メッセージを受信するように構成されてもよい。それ故、コンピューティングデバイスによって具現化された装置は、ＵＬ伝送の有効又は無効を示すＰＵＣＣＨを構成するべく、ＲＲＣメッセージを受信するために、プロセッサ２２や通信インタフェース２６等の手段を備えてもよい。 
【００３４】
図５Ｂは、次の方法、即ち、短期ＤＲＸ５０６期間に関連するオン期間にＵＬ伝送５０８を取り除くことによって、ＵＥからのＵＬアクティビティを制限するという方法に従って動作するＵＥの例示的タイミング図を示している。
【００３５】
図３のブロック３０６に示す通り、コンピューティングデバイス１０によって具現化された装置２０は、時間制限方式でＵＬ通信の有効化／無効化を行うように構成されてもよい。それ故、コンピューティングデバイスによって具現化された装置は、時間制限方式でＵＬ通信の有効化／無効化を行うために、プロセッサ２２や通信インタフェース２６等の手段を備えてもよい。ある実施形態では、こうした有効化／無効化には、タイマー値が設定されるような時間制限があってもよい。別の実施形態では、タイマー値（又は時間）が固定であり、仕様で規定されていてもよい。
【００３６】
別の実施形態では、図３のブロック３０８に示す通り、コンピューティングデバイス１０によって具現化された装置２０は、ＵＬ通信の有効／無効又は低減の許可／不許可に関する情報を含む媒体アクセス制御（ＭＡＣ）命令を受信するように構成されてもよい。それ故、コンピューティングデバイスによって具現化された装置は、ＵＬ通信の有効／無効又は低減の許可／不許可に関する情報を含む媒体アクセス制御（ＭＡＣ）命令を受信するために、プロセッサ２２や通信インタフェース２６等の手段を備えてもよい。ある実施形態では、ＵＬ伝送の低減が適用されるとき、期間が特定されてもよい。別の実施形態では、例えば、デフォルト設定が低減ＵＬ伝送であって、如何なる低減も許可されないときに、期間が特定されてもよい。
【００３７】
別の実施形態では、図３のブロック３１０に示す通り、コンピューティングデバイス１０によって具現化された装置２０は、ＵＬ通信の有効／無効又は低減の許可／不許可に関する情報を含むトリガー命令を受信するように構成されてもよい。それ故、コンピューティングデバイスによって具現化された装置は、ＵＬ通信の有効／無効又は低減の許可／不許可に関する情報を含むトリガー命令を受信するために、プロセッサ２２や通信インタフェース２６等の手段を備えてもよい。ある実施形態では、ネットワークは、必要と決定されたときにＰＵＣＣＨアップリンクの送信をＵＥに命令する個別トリガーを使用してもよい。これは、例えば、新規データが送られるとネットワークが想定することができる場合に必要だと決定される。これは、低減ＵＬ伝送がデフォルトの選択肢であるときの手順であってもよい。あるいは、例えばデフォルトの選択肢が非低減伝送であり、送信されるデータが無いと決定された場合、そのトリガーには、いつ低減アップリンク伝送（ＵＬＴＸ）を適用するかを示す別個のトリガーが含まれてもよい。
【００３８】
別の実施形態では、別個のトリガーは、低減ＵＬ伝送が許可されるときに利用されてもよい。これは、低電力消費を示す単位パケット情報（Per-Packet-Information、ＰＰＩ）に関連していてもよい。ＰＰＩは一例であって、他の種類のトリガーが利用されてもよい。
【００３９】
ある実施形態では、同様のＵＬ伝送の低減が、全てのＰＵＣＣＨ伝送に対して、あるいは、周期的ＣＱＩ／ＰＭＩ伝送や周期的ＲＩ伝送のような周期的伝送に対して個別に、設定及び／又は使用されてもよい。この方法は、ＵＥによる不要なＵＬ伝送を減らし、その結果、ＵＥによるＵＬ干渉も減らすことができる。また、ネットワークは、ＰＵＣＣＨの周期的なリソース使用の制御を向上させ、複数のＵＥ間でＵＬリソースの時分割共有を向上させることができる。
【００４０】
図４は、本発明のある実施形態に従ってＵＬ伝送の最小化等によって低減を行う方法を示す例示的フローチャートである。図４のブロック４０２に示す通り、コンピューティングデバイス１０によって具現化された装置２０は、オン期間にＴＡアップデートを提供するように構成されてもよい。それ故、コンピューティングデバイスによって具現化された装置は、オン期間にＴＡアップデートを提供するために、プロセッサ２２や通信インタフェース２６等の手段を備えてもよい。
【００４１】
図４のブロック４０４に示す通り、コンピューティングデバイス１０によって具現化された装置２０は、ＵＥからＵＬ伝送を受信するように構成されてもよい。それ故、コンピューティングデバイスによって具現化された装置は、ＵＥからＵＬ伝送を受信するために、プロセッサ２２や通信インタフェース２６等の手段を備えてもよい。
【００４２】
図４のブロック４０６に示す通り、コンピューティングデバイス１０によって具現化された装置２０は、追加のタイミング命令で、アップリンク（ＵＬ）が有効化又は無効化される物理アップリンク制御チャネル（ＰＵＣＣＨ）を設定する無線リソース制御（ＲＲＣ）メッセージを提供するように構成されてもよい。それ故、コンピューティングデバイスによって具現化された装置は、追加のタイミング命令で、アップリンク（ＵＬ）が有効化又は無効化される物理アップリンク制御チャネル（ＰＵＣＣＨ）を設定する無線リソース制御（ＲＲＣ）メッセージを提供するために、プロセッサ２２や通信インタフェース２６等の手段を備えてもよい。
【００４３】
図４のブロック４０８に示す通り、コンピューティングデバイス１０によって具現化された装置２０は、ＵＬ通信の有効／無効又は低減の許可／不許可に関する情報を含む媒体アクセス制御（ＭＡＣ）命令を提供するように構成されてもよい。それ故、コンピューティングデバイスによって具現化された装置は、ＵＬ通信の有効／無効又は低減の許可／不許可に関する情報を含む媒体アクセス制御（ＭＡＣ）命令を提供するために、プロセッサ２２や通信インタフェース２６等の手段を備えてもよい。
【００４４】
図４のブロック４１０に示す通り、コンピューティングデバイス１０によって具現化された装置２０は、ＵＬ通信の有効／無効又は低減の許可／不許可に関する情報を含むトリガー命令を提供するように構成されてもよい。それ故、コンピューティングデバイスによって具現化された装置は、ＵＬ通信の有効／無効又は低減の許可／不許可に関する情報を含むトリガー命令を提供するために、プロセッサ２２や通信インタフェース２６等の手段を備えてもよい。
【００４５】
本発明のある実施形態に従って、次の方法、即ち、ユーザ装置をアップリンク同期状態で動作させることであって、アップデートがオン期間中に周期的に受信され、オン期間は、不連続受信（ＤＲＸ）短周期タイマーに関連する、前記動作させることと；ＤＲＸ短周期タイマーに関連する１つ又は複数のオン期間中にアップリンク伝送を無効にする命令を受信することと；命令に従ってアップリンク伝送を無効にすることを含む方法が、提供されてもよい。
【００４６】
ある実施形態では、前記命令は、アップリンク（ＵＬ）が有効化又は無効化される物理アップリンク制御チャネル（ＰＵＣＣＨ）を設定する無線リソース制御（ＲＲＣ）メッセージを含んでもよい。別の実施形態では、前記命令は、ＵＬ通信の有効／無効又は低減の許可／不許可に関する情報を含む媒体アクセス制御（ＭＡＣ）命令を含んでもよい。別の実施形態では、前記命令は、ＵＬ通信の有効／無効又は低減の許可／不許可に関する情報を含むトリガー命令を含んでもよい。実施形態によっては、前記命令は、時間制限方式でＵＬ伝送を有効又は無効にすることを含んでもよい。実施形態によっては、タイマー値が設定されなくてはならない。別の実施形態では、タイマー値又は時間が固定であり、仕様で規定することもできる。
【００４７】
本発明の別の例示的な実施形態に従って、装置が提供されてもよい。前記装置は、少なくとも１つのプロセッサと、コンピュータプログラムコードを含む少なくとも１つのメモリを備え、前記少なくとも１つのメモリ及びコンピュータプログラムコードは、前記プロセッサで前記装置に少なくとも、ユーザ装置をアップリンク同期状態で動作させることであって、アップデートがオン期間中に周期的に受信され、オン期間は、不連続受信（ＤＲＸ）短周期タイマーに関連する、前記動作させることと；ＤＲＸ短周期タイマーに関連する１つ又は複数のオン期間中にアップリンク伝送を無効にする命令を受信することと；命令に従ってアップリンク伝送を無効にすることを実行させるように構成されてもよい。
【００４８】
ある実施形態では、前記命令は、アップリンク（ＵＬ）が有効化又は無効化される物理アップリンク制御チャネル（ＰＵＣＣＨ）を設定する無線リソース制御（ＲＲＣ）メッセージを含んでもよい。別の実施形態では、前記命令は、ＵＬ通信の有効／無効又は低減の許可／不許可に関する情報を含む媒体アクセス制御（ＭＡＣ）命令を含んでもよい。別の実施形態では、前記命令は、ＵＬ通信の有効／無効又は低減の許可／不許可に関する情報を含むトリガー命令を含んでもよい。実施形態によっては、前記命令は、時間制限方式でＵＬ伝送を有効又は無効にすることを含んでもよい。実施形態によっては、タイマー値が設定されなくてはならない。別の実施形態では、タイマー値又は時間が固定であり、仕様で規定することもできる。
【００４９】
本発明の別の例示的な実施形態に従って、コンピュータプログラムが提供されてもよい。前記コンピュータプログラムは、ユーザ装置をアップリンク同期状態で動作させることであって、アップデートがオン期間中に周期的に受信され、オン期間は、不連続受信（ＤＲＸ）短周期タイマーに関連する、前記動作させることと；ＤＲＸ短周期タイマーに関連する１つ又は複数のオン期間中にアップリンク伝送を無効にする命令を受信することと；命令に従ってアップリンク伝送を無効にすることを行うプログラムコード命令を含んでもよい。
【００５０】
ある実施形態では、前記命令は、アップリンク（ＵＬ）が有効化又は無効化される物理アップリンク制御チャネル（ＰＵＣＣＨ）を設定する無線リソース制御（ＲＲＣ）メッセージを含んでもよい。別の実施形態では、前記命令は、ＵＬ通信の有効／無効又は低減の許可／不許可に関する情報を含む媒体アクセス制御（ＭＡＣ）命令を含んでもよい。別の実施形態では、前記命令は、ＵＬ通信の有効／無効又は低減の許可／不許可に関する情報を含むトリガー命令を含んでもよい。実施形態によっては、前記命令は、時間制限方式でＵＬ伝送を有効又は無効にすることを含んでもよい。実施形態によっては、タイマー値が設定されなくてはならない。別の実施形態では、タイマー値又は時間が固定であり、仕様で規定することもできる。
【００５１】
前述の説明や関連する図面に示される教示から利益を受けうる当業者には、ここで説明された発明についての多くの変形やその他の実施形態が想起されるであろう。したがって、本発明は開示した特定の実施形態に限定されるものではなく、その変形と他の実施形態も添付する特許請求の範囲内に含まれることを理解されたい。加えて、前述の内容及び関連する図面は、要素及び／又は機能に関する特定の例示的組み合わせの状況における例示的実施形態を示すものであって、添付する特許請求の範囲を逸脱しないような代替的実施形態によって、要素及び／又は機能に関する別の組み合わせも提供されうることにも理解されるべきである。この点に関し、添付する特許請求の範囲の一部に記載のように、前述で明示された要素及び／又は機能以外の別のものも想定されている。本願では特定の術語が使用されているが、それらは一般的説明を目的として使用されており、限定目的ではない。
【図１】
2016521031.tif 000003
【図２】
2016521031.tif 000004
【図３】
2016521031.tif 000005
【図４】
2016521031.tif 000006
【図５Ａ−５Ｂ】
2016521031.tif 000007
【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
ユーザ装置をアップリンク同期状態で動作させることであって、アップデートがオン期間中に周期的に受信され、前記オン期間は、不連続受信（ＤＲＸ）短周期タイマーに関連する、前記動作させることと；
前記ＤＲＸ短周期タイマーに関連する１つ又は複数のオン期間中にアップリンク伝送を無効にする命令を受信することと；
前記命令に従ってアップリンク伝送を無効にすることと；
を含む、方法。
【請求項２】
前記命令は、アップリンク（ＵＬ）が有効化又は無効化される物理アップリンク制御チャネル（ＰＵＣＣＨ）を設定する無線リソース制御（ＲＲＣ）メッセージを含んでもよい、請求項１に記載の方法。
【請求項３】
前記命令は、ＵＬ通信の有効／無効又は低減の許可／不許可に関する情報を含む媒体アクセス制御（ＭＡＣ）命令を含んでもよい、請求項１に記載の方法。
【請求項４】
前記命令は、ＵＬ通信の有効／無効又は低減の許可／不許可に関する情報を含むトリガー命令を含んでもよい、請求項１に記載の方法。
【請求項５】
前記命令は、時間制限方式でＵＬ伝送を有効又は無効にすることを含んでもよい、請求項１から４の何れかに記載の方法。
【請求項６】
タイマー値が設定されなくてはならない、請求項１から５の何れかに記載の方法。
【請求項７】
タイマー値又は時間が固定であり、仕様で規定することができる、請求項１から６の何れかに記載の方法。
【請求項８】
処理手段及び記憶手段を備える装置であって、前記記憶手段はプログラム命令を格納し、前記プログラム命令は、前記処理手段に実行されると、前記装置に、請求項１から７の何れかに記載の方法を遂行させるように構成される、装置。
【請求項９】
装置の処理手段に実行されると、前記装置に、請求項１から７の何れかに記載の方法を遂行させるように構成されるプログラム命令を備える、コンピュータプログラム。
【請求項１０】
ユーザ装置をアップリンク同期状態で動作させる手段であって、アップデートがオン期間中に周期的に受信され、前記オン期間は、不連続受信（ＤＲＸ）短周期タイマーに関連する、前記動作させる手段と；
前記ＤＲＸ短周期タイマーに関連する１つ又は複数のオン期間中にアップリンク伝送を無効にする命令を受信する手段と；
前記命令に従ってアップリンク伝送を無効にする手段と；
を備える、装置。
【国際調査報告】
2016521031.tif 000008
2016521031.tif 000009
2016521031.tif 000010
2016521031.tif 000011
2016521031.tif 000012